(57)【要約】  落札された物品に対して金銭的なメリット以外の楽しみを与えることができるオークションシステムを提供する。  本発明は、受け付けられた複数の入札の入札値にしたがって、受け付けられた複数の出品アイテムのうち落札される出品アイテムを決定する（Ｓ２５、Ｓ２７）。落札された出品アイテムを、落札した入札のユーザのアイテム情報に追加し、かつ落札された出品アイテムを、落札された出品アイテムのユーザのアイテム情報から削除するとともに、落札した入札のユーザの入札値に対応する値を前記落札された出品アイテムを出品したユーザのオークションシステム内で取引可能な値を示す取引可能値に加算し、落札した入札のユーザの取引可能値から、落札した入札のユーザの入札値を減算する（Ｓ２８）。
2013187445.tif 000002
【特許請求の範囲】
【請求項１】
入札の対象となる複数の出品アイテムを受け付ける出品受付手段と、
前記出品受付手段によって受け付けられた複数の出品アイテムに対する複数の入札を受け付ける入札受付手段と、
前記入札受付手段によって受け付けられた複数の入札の入札値にしたがって、前記出品受付手段により受け付けられた複数の出品アイテムのうち落札される出品アイテムを決定する落札決定手段と、
前記落札決定手段により落札された出品アイテムを、落札した入札のユーザのアイテム情報に追加し、かつ前記落札された出品アイテムを、落札された出品アイテムのユーザのアイテム情報から削除するとともに、前記落札した入札のユーザの入札値に対応する値を前記落札された出品アイテムを出品したユーザのオークションシステム内で取引可能な値を示す取引可能値に加算し、前記落札した入札のユーザの取引可能値から、前記落札した入札のユーザの入札値を減算する取引管理手段と
を具備することを特徴とするオークションシステム。
【請求項２】
前記入札受付手段は、
前記出品受付手段によって受け付けられた複数の出品アイテムに対する複数の入札を受け付ける仮入札キューと、
所定時間毎に、前記仮入札キューに受け付けられた複数の入札のうち、入札の入札値が同じである入札が存在するか否かを決定し、入札の入札値が同じである入札が存在すると決定された場合に、入札の入札値が同じである入札のうちの少なくとも１つの入札を決定する抽選手段と、
入札キューとを具備し、
前記抽選手段は、決定された入札の入札値が同じである入札のうちの少なくとも１つの入札と、前記仮入札キューに受け付けられた他の入札を前記入札キューに入れ、前記抽選手段によって決定された少なくとも１つの入札以外の他の入札の入札値が同じである入札は前記入札キューに入れないことを特徴とする請求項１記載のオークションシステム。
【請求項３】
前記出品アイテムの属性情報に基づいて前記オークションシステムにおいて行われるオークション市場がグループ化されていることを特徴とする請求項１記載のオークションシステム。
【請求項４】
前記出品受付手段は、前記出品受付手段によって受け付けられた複数の出品アイテムを受け付ける出品キューを具備し、
前記オークションシステムにおいて行われるオークション市場は、前記出品アイテムの属性情報に基づいてグループ化され、
前記仮入札キュー、前記入札キュー及び前記出品キューは、前記グループ化されたオークション市場毎に設けられていることを特徴とする請求項１記載のオークションシステム。
【請求項５】
オークションシステムにおけるオークション方法において、
前記オークションシステムが、
入札の対象となる複数の出品アイテムを受け付け、かつ前記受け付けられた複数の出品アイテムに対する複数の入札を受け付け、
前記受け付けられた複数の入札の入札値にしたがって、前記出品受付手段により受け付けられた複数の出品アイテムのうち落札される出品アイテムを決定し、
落札された出品アイテムを、落札した入札のユーザのアイテム情報に追加し、かつ前記落札された出品アイテムを、落札された出品アイテムのユーザのアイテム情報から削除するとともに、前記落札した入札のユーザの入札値に対応する値を前記落札された出品アイテムを出品したユーザのオークションシステム内で取引可能な値を示す取引可能値に加算し、前記落札した入札のユーザの取引可能値から、前記落札した入札のユーザの入札値を減算することを特徴とするオークション方法。
【請求項６】
オークションシステムにおいて使用されるプログラムにおいて、
前記プログラムが前記オークションシステムに、
入札の対象となる複数の出品アイテムを受け付けさせ、かつ前記受け付けられた複数の出品アイテムに対する複数の入札を受け付けさせ、
前記受け付けられた複数の入札の入札値にしたがって、前記出品受付手段により受け付けられた複数の出品アイテムのうち落札される出品アイテムを決定させ、
落札された出品アイテムを、落札した入札のユーザのアイテム情報に追加させ、かつ前記落札された出品アイテムを、落札された出品アイテムのユーザのアイテム情報から削除させるとともに、前記落札した入札のユーザの入札値に対応する値を前記落札された出品アイテムを出品したユーザのオークションシステム内で取引可能な値を示す取引可能値に加算させ、前記落札した入札のユーザの取引可能値から、前記落札した入札のユーザの入札値を減算させることを特徴とするプログラム。
【請求項７】
オークションシステムにおいて使用されるプログラムを格納したコンピュータ読み取り可能な記録媒体において、
前記プログラムが前記オークションシステムに、
入札の対象となる複数の出品アイテムを受け付けさせ、かつ前記受け付けられた複数の出品アイテムに対する複数の入札を受け付けさせ、
前記受け付けられた複数の入札の入札値にしたがって、前記出品受付手段により受け付けられた複数の出品アイテムのうち落札される出品アイテムを決定させ、
落札された出品アイテムを、落札した入札のユーザのアイテム情報に追加させ、かつ前記落札された出品アイテムを、落札された出品アイテムのユーザのアイテム情報から削除させるとともに、前記落札した入札のユーザの入札値に対応する値を前記落札された出品アイテムを出品したユーザのオークションシステム内で取引可能な値を示す取引可能値に加算させ、前記落札した入札のユーザの取引可能値から、前記落札した入札のユーザの入札値を減算させることを特徴とする記録媒体。
【発明の詳細な説明】
【技術分野】
【０００１】
本発明は、ネットワークを用いたオークションシステム及びその方法、このオークションシステムを実現するためのプログラム、このプログラムを記録した記録媒体に関する。
【背景技術】
【０００２】
近年のインターネットに代表されるネットワーク技術の進展に伴ない、ネットワーク上で入札や出品を行ない落札者を決定するオークションシステムが広く知られている。このようなオークションシステムでは、複数ユーザが所定時間内で１つの物品を落札するものが一般的であった（特許文献１）。かかるオークションサービスにおいて、ユーザは、インターネットに接続されたパーソナルコンピュータなどのユーザ端末から、かかるサービスが提供されるオークションサイトへアクセスし、販売したいアイテム（品物）の出品ならびに購入したいアイテムへの入札を手軽に行うことができる。オークションサイトでは、ユーザからの出品情報及び入札情報の管理、ユーザへの情報提供、及び落札処理などを行い、落札された場合にはその結果を、電子メールなどにより落札者及び出品者へ通知する。
【先行技術文献】
【特許文献】
【０００３】
【特許文献１】特開２００２−２３０３５１号公報
【発明の概要】
【発明が解決しようとする課題】
【０００４】
しかしながら、従来のオークションシステムでは、複数ユーザが所定時間内で１つの物品を落札するものが一般的であったため、ユーザがオークションに参加するための意義は金銭的或いは物質的なメリットを享受することにあり、金銭的或いは物質的なメリット以外でオークションに参加するユーザを楽しませることができなかった。【０００５】
そこで、本発明は、上記実情に鑑みてなされたものであり、オークションに参加するユーザが金銭的或いは物質的なメリット以外で楽しむことができるオークションシステム及びその方法、このオークションシステムを実現するためのプログラム、このプログラムを記録した記録媒体を提供することを目的とする。
【課題を解決するための手段】
【０００６】
本発明の第１の発明によれば、入札の対象となる複数の出品アイテムを受け付ける出品受付手段と、前記出品受付手段によって受け付けられた複数の出品アイテムに対する複数の入札を受け付ける入札受付手段と、前記入札受付手段によって受け付けられた複数の入札の入札値にしたがって、前記出品受付手段により受け付けられた複数の出品アイテムのうち落札される出品アイテムを決定する落札決定手段と、前記落札決定手段により落札された出品アイテムを、落札した入札のユーザのアイテム情報に追加し、かつ前記落札された出品アイテムを、落札された出品アイテムのユーザのアイテム情報から削除するとともに、前記落札した入札のユーザの入札値に対応する値を前記落札された出品アイテムを出品したユーザのオークションシステム内で取引可能な値を示す取引可能値に加算し、前記落札した入札のユーザの取引可能値から、前記落札した入札のユーザの入札値を減算する取引管理手段とを具備することを特徴とするオークションシステム、である。
【発明の効果】
【０００７】
本発明によれば、オークションに参加するユーザが金銭的或いは物質的なメリット以外で楽しむことができるオークションシステムを提供できる。
【図面の簡単な説明】
【０００８】
【図１】本発明の実施の形態に係るオークションシステムが使用される環境を説明するための図である。
【図２】本実施形態のサーバ群２の構成の一例を示す図である。
【図３】本発明の実施の形態に係るオークションシステムの動作を行なうサーバ１０の構成を示す図である。
【図４】ユーザ情報データベース２２に格納されるユーザ情報を示す図である。
【図５】本発明の実施の形態に係るオークションシステムの機能を示すブロック図である。
【図６】本発明の実施の形態に係るオークションシステムの流れの概要を説明するための図である。
【図７】本発明の実施の形態に係るオークションシステムの流れの概要を説明するための図である。
【図８】グループ化されたオークション市場のうち、カードαのレベル４０〜５０のオークション市場を示す図である。
【図９】開催前の出品受け付け期間中に出品する場合の動作について説明するためのフローチャートである。
【図１０】ユーザによるカードの出品を説明するための図である。
【図１１】最低出品数＝３とした場合の各オークション市場において、オークションの開催の有無を説明するための図である。
【図１２】開催中期間に出品する場合のオークションシステムの動作について説明するためのフローチャートである。
【図１３】本発明の実施の形態に係るオークションシステムの入札処理について説明するためのフローチャートである。
【図１４】（ａ）は入札間隔制限の一例を説明するための図であり、（ｂ）は３つ以上のオークション市場に参加することが制限される場合の例を示す図である。
【図１５】入札最低価格及び入札最高価格を説明するための図である。
【図１６】入札価格を制限した場合の、価格のレンジの推移の一例を示す図である。
【図１７】本発明の実施の形態に係るオークションシステムの抽選処理を説明するための図である。
【図１８】落札者の獲得カードの決定の仕方を説明するための図である。
【発明を実施するための形態】
【０００９】
以下、図面を参照して、本発明の実施の形態に係るオークションシステムについて説明する。
【００１０】
図１は、本発明の実施の形態に係るオークションシステムが使用される環境を説明するための図である。
【００１１】
同図に示すように、インターネットなどのネットワーク１にはサーバ群２、本発明の実施の形態に係るオークションシステムを利用するコンピュータ３及び携帯電話４がアクセスポイント５或いは基地局６を介してネットワーク１に接続されている。
【００１２】
サーバ群２は、本発明の実施の形態に係るオークションシステムを実現するためのコンピュータであり、１つのコンピュータで実現されても良いし、その機能毎に、例えば、Ｗｅｂサーバ、処理サーバ、データベースサーバなどの複数のコンピュータで構成されてもよく、本発明の実施の形態においては、その構成は問わない。
【００１３】
コンピュータ３は、一般的なデスクトップコンピュータの他、モバイルコンピュータ、ラップトップコンピュータ、タブレット型端末などを含む。
【００１４】
携帯電話４は、スマートフォン、フィーチャー・フォン（feature phone)などを含み、例えば、アンドロイド（Ｒ）、ｉＯＳ（Ｒ）などのＯＳ上で動作する携帯電話である。
【００１５】
図２は、本実施形態のサーバ群２の構成の一例を示す図である。
【００１６】
同図に示すように、例えば、サーバ群２は、フロントサーバ群２−１、データベースサーバ群２−２及びバッチサーバ群２−３で構成される。
【００１７】
フロントサーバ群２−１は、クライアントとの通信リクエストを受けて即実行が可能な各種処理の実行出力の整形を担当する。例えば、Ｗｅｂサーバなどである。
【００１８】
データベースサーバ群２−２は、ユーザの状態、変更、オークションの状態を記録する。例えば、オークション処理の中核をなす処理を行なう処理サーバである。
【００１９】
バッチサーバ群２−３は、定期的にデータをデータベースサーバ群２−２から取得して、定期処理を施し、その結果をデータベースサーバ群２−２に記録する。
【００２０】
本実施の形態では、説明を簡単にするために、１つのサーバ１０上で動作を行なう場合について説明するが、上述のように、サーバの構成はこれに限られるものではないことは言うまでもない。
【００２１】
図３は、本発明の実施の形態に係るオークションシステムの動作を行なうサーバ１０の構成を示す図である。
【００２２】
同図に示すように、サーバ１０は、バス１１にＣＰＵ１２、通信部１３、メモリ１４、入力部１５及び記憶装置１６が接続されている。
【００２３】
ＣＰＵ１２は、記憶装置１６に記憶された本発明の実施の形態に係るオークション処理プログラム２３と協働して、本発明の実施の形態に係るオークション処理を行なう他、サーバ１０全体の制御を司るものである。
【００２４】
通信部１３は、ネットワーク１を介したクライアントなどの外部装置との通信の制御を司る。
【００２５】
メモリ１４は、オークション処理プログラム２３を実行する際に必要とされるワークエリアなどとして使用される。
【００２６】
入力部１５は、オークション処理を行なう際に必要とされるデータなどを入力するためのインターフェイスであり、例えば、キーボード、タッチパネルなどである。
【００２７】
記憶装置１６は、オークション処理に必要とされるプログラム、データを格納するためのものであり、例えば、ハードディスクドライブ（ＨＤＤ）、光ディスクドライブ、ＤＶＤ、ＭＯなどの大容量記憶装置である。この記憶装置１６には、ＯＳ（オペレーティングシステム）２１、オークション情報データベース２２、ユーザ情報データベース２３及びオークション処理プログラム２４が格納されている。
【００２８】
ＯＳ２１は、サーバ１０の基本的な機能を実現するためのプログラムである。
【００２９】
オークション情報データベース２２は、オークション処理プログラム２４によって動作するオークションで使用されるデータを管理する。本実施の形態のオークションでは、複数のオークション市場がカードレベルに分けられて開催されるが、オークション市場ごとに、或いは複数のオークション市場に対して共通に最低市場開催出品数、入札最低価格（メダル枚数）、入札最高価格（メダル枚数）、入札間隔制限、入札市場数制限、出品アイテム制限、同時出品制限などのオークション処理に必要なデータが管理される。
【００３０】
ユーザ情報データベース２３は、本実施の形態のオークションシステムを利用するユーザに関するユーザ情報を格納し、オークション処理の際に使用されるものである。
【００３１】
オークション処理プログラム２４は、ＯＳ２１上で動作するアプリケーションプログラムであって、ＣＰＵ１２と協働して、本発明の実施の形態に係るオークション処理を実現するものであって、主に、図９、図１２及び図１３に示すフローチャートの処理を実現するものである。
【００３２】
図４は、ユーザ情報データベース２２に格納されるユーザ情報を示す図である。
【００３３】
同図に示すように、ユーザ情報３０は、ユーザＩＤ３１を有し、このユーザＩＤ３１にはカード情報３２（３２−１、３２−２、・・・・）、ユーザ情報３３、メダル情報３４、コイン情報３５が関連付けられている。
【００３４】
ユーザＩＤ３１は、オークションシステムを使用するユーザをユニークに特定する情報である。
【００３５】
カード情報３２は、ユーザが所有しているカード毎に設けられ、カードの種類、レベル、スキル（特殊能力）などカードに関する情報を含む。カードは、オークションシステムにおいて出品可能な出品アイテムである。
【００３６】
また、カードは、ソーシャルネットワーキングゲームにおいて使用されるアイテムであり、有料ガチャやゲームプレイで得ることができる。有料ガチャは、コインを消費することにより、ランダムで決定されるカードとメダルとを得るものである。コインは、ソーシャルゲームネットワーキングゲーム内においてお金で購入する通貨を意味し、メダルはゲーム内のオークションで使用するポイントを意味する。メダルはゲーム内で閉じており、他ゲームで使用されない。
【００３７】
ユーザ情報３３は、ユーザの属性に関する情報、例えば、ユーザのレベルなどを示す情報である。
【００３８】
メダル情報３４は、ユーザが有するソーシャルゲームネットワーキングゲーム内のオークションシステムで使用することができるポイント（取引可能値）を示す情報である。
【００３９】
コイン情報３５は、ユーザが有するソーシャルゲームネットワーキングゲーム内のガチャで使用することができるポイントである。
【００４０】
図５は、本発明の実施の形態に係るオークションシステムの機能を示すブロック図である。
【００４１】
同図に示すように、本発明の実施の形態に係るオークションシステムは、出品受付部４１、オークション管理部４２及び入札受付部４３を有する。
【００４２】
出品受付部４１は、グループ化されたオークション市場ごとに設けられ、入札の対象となるカード（出品アイテム）を出品キュー５１に受け付ける。
【００４３】
入札受付部４３は、グループ化されたオークション市場ごとに設けられ、出品受付部４１によって受け付けられたカードに対する入札を受けつけ、仮入札キュー７１、抽選部７２及び入札キュー７３を有する。
【００４４】
仮入札キュー７１は、出品受付部４１によって受け付けられたカードに対する入札を受け付ける。
【００４５】
抽選部７２は、所定時間（例えば、１０分）毎に、仮入札キュー７１に受け付けられた入札のうち、入札のメダルの枚数（入札値）が同じである入札が存在するか否かを決定し、入札のメダルの枚数が同じである入札が存在すると決定された場合に、入札のメダルの枚数が同じである入札のうちの少なくとも１つの入札を決定する。そして、決定された入札のメダルの枚数が同じである入札のうちの少なくとも１つの入札と、仮入札キュー７１に受け付けられた他の入札を入札キュー７３に入れ、抽選部７２によって決定された少なくとも１つの入札以外の他の入札の入札値が同じである入札は入札キュー７３に入れない。
【００４６】
オークション管理部４２は、グループ化されたオークション市場ごとに設けられ、オークション市場管理部６１、落札決定部６２及び取引管理部６３を有する。
【００４７】
オークション市場管理部６１は、オークション市場をグループ化する処理や、グループ化されたオークション市場における取引全般の処理を司る。
【００４８】
落札決定部６２は、入札受付部４３の入札キュー７３によって受け付けられた入札のメダル枚数にしたがって、出品受付部４１の出品キュー５１により受け付けられたカードのうち落札されるカードを決定する。
【００４９】
取引管理部６３は、落札決定部６２により落札されたカードを、落札した入札のユーザのカード情報に追加し、かつ落札されたカードを、落札されたカードのユーザのカード情報から削除するとともに、落札した入札のユーザのメダルの枚数に対応するメダルの枚数（システムの手数料が差し引かれたメダルの枚数）を落札されたカードを出品したユーザのオークションシステム内で取引可能なメダルの枚数を示すメダル情報（取引可能値）に加算し、落札した入札のユーザのメダル情報から、落札した入札のユーザのメダル情報を減算する。
【００５０】
図６は、本発明の実施の形態に係るオークションシステムの流れの概要を説明するための図である。
【００５１】
同図に示すように、ユーザがオークションにカードを出品し（Ｓ１）、出品されたカードを他のユーザがメダルの枚数を提示して入札する（Ｓ２）。一定期間後、オークションシステムにより落札者が決定され、落札者は、提示した数のメダルが回収され、落札したカードを得ることができる（Ｓ３）。
【００５２】
また、回収されたメダルは、出品者に支払われる（Ｓ４）。その際、手数料が差し引かれた枚数のメダルが出品者に支払われる。なお、手数料は、落札したメダルの枚数により変動する。なお、図５に示した例においては、出品者がユーザである場合について説明したが、図７に示すように、出品者がオークションシステムの運営者であっても良い。これにより、ゲーム内において、メダルの数がインフレ化することを防ぐことができる。
【００５３】
本発明の実施の形態に係るオークションシステムにおいては、複数のオークション市場が開かれる。これら複数のオークション市場は、カードの属性情報、例えば、カードの種類、レベル、スキル（特殊能力）などに基づいてグループ化される。本実施の形態では、カードの属性情報に基づいて、オークション市場をグループ化する場合について説明するが、これ以外の情報、例えば、ユーザ情報などでグループ化しても良い。
【００５４】
図８は、グループ化されたオークション市場のうち、カードαのレベル４０〜５０のオークション市場を示す図である。
【００５５】
同図においては、出品キューにユーザＸのレベル５０のカードα、ユーザＹのレベル４３のカードα、ユーザＺのレベル４２のカードαが受け付けられており、入札キューにユーザＡの２５００メダルの入札、ユーザＢの２２００メダルの入札、ユーザＣの２０００メダルの入札、ユーザＤの１８００メダルの入札、ユーザＥの１７５０メダルの入札が受け付けられている。
【００５６】
この時点では、ユーザＡはユーザＸの出品したレベルのカードαを２５００メダルで落札できる状態にある。また、出品数と入札数とが重なる部分の取引が成立する。出品は、出品受け付け期間内であれば、他のユーザは、メダル枚数をみて、条件に合うカードを追加出品することができる。その結果、図８の例においては、１つのカードが追加出品された場合、ユーザＤが追加されたカードを落札できる状態になる。なお、出品数が入札数よりも少ない場合、あふれた入札は取引不成立となる。また、同図において、落札圏内の最低価格（メダル枚数）を落札基準価格（落札基準メダル枚数）という。
【００５７】
次に、本発明の実施の形態に係るオークションシステムの動作について説明する。
【００５８】
まず、最初に、開催前の出品受け付け期間中に出品する場合の動作について、図９のフローチャートを参照して説明する。
【００５９】
まず、ユーザからカードが出品される（Ｓ１１）。図１０は、ユーザによるカードの出品を説明するための図である。同図に示すように、ユーザがカードを出品する場合、出品するカードのレベルに対応するグループ化されたオークション市場の情報を見ることが可能である。
【００６０】
同図においては、ユーザがレベル４１のカードを出品するに際し、レベル４０〜５０のオークション市場であって、現在開催中のオークション市場に関する情報と、次回開催されるオークション市場に関する情報が表示されている。
【００６１】
現在開催中のオークション市場では、出品数、入札数、落札基準価格、価格レンジ（メダル枚数のレンジ）、出品後の価格（メダル枚数）などの情報が表示される。なお、現在開催中のオークション市場に出品をした場合には、取引終了まで出品したカードは、ゲームで使用することはできない。
【００６２】
また、次回開催のオークション市場では、出品数、開始予定価格（メダル枚数）などが表示される。ここで、「開始予定価格」は、現在の市場の開始価格（メダル枚数）を表示する。実際の開始価格は、現在の市場が終了した価格から算出される。ここでは、開催前の出品受け付け期間中に出品する場合について説明しているので、ユーザは次回開催のオークション市場に出品することを選択する。
【００６３】
次に、入札されたカードが出品制限に該当するか否かが判断される（Ｓ１２）。ここで、「出品制限」とは、出品できないカード（アイテム）をブラックリスト的に管理しておき、当該管理されたカードが出品された場合に、出品を制限する「出品カード制限」や、同時に出品できるカード数を制限したり、同じカテゴリーに多重出品できないように制限する「同時出品制限」がある。
【００６４】
「出品カード制限」を行なうことにより、流通量、需要の少ないカードを利用した個人情報の流出を防止することができ、「同時出品制限」を行なうことにより、業者が効率よくカードを取り扱うことを防止することができる。
【００６５】
Ｓ１２において、出品制限に該当すると判断された場合には、出品されたカードはオークション市場に出品することが認められない（Ｓ１３）。一方、出品制限に該当しないと判断された場合には、出品されたカードのカード情報から、グループ化するためのグループ化情報（例えば、カードのレベル）が抽出される（Ｓ１４）。
【００６６】
なお、ここでは、グループ化情報として、カードのレベル情報を使用しているが、他のカード情報を使用しても良いし、カード情報の複数のファクタからグループ化情報を算出しても良いし、ユーザ情報を使用しても良い。
【００６７】
次に、他の出品されたカードの中から所定範囲内のグループ化情報を有するカードとグループ化が行なわれる（Ｓ１５）。これにより、グループ化されたオークション市場が形成されることになる。例えば、図８に示すように、カードのレベル４０〜５０のオークション市場の場合、出品に係るレベル４１のカードと、他のレベル４８のカードとがグループ化されることになる。
【００６８】
次に、オークションの開催時刻に到達したか否かの判断が行われる（Ｓ１６）。Ｓ１６において、開催時刻に到達したと判断された場合には、当該グループ化されたオークション市場において、出品されたカードが最低出品数未満か否かの判断が行われる（Ｓ１７）。
【００６９】
このように、最低出品点数未満か否かを判断するのは、最低出品数未満の場合、個人を特定される恐れがあるからである。本実施の形態では、最低出品数未満のオークション市場においては、オークションを開催せずに（Ｓ１８）、当該オークション市場に出品されたカードは返却処理が行われる（Ｓ１９）。
【００７０】
図１１は、最低出品数＝３とした場合の各オークション市場（カードαのレベル１０〜１９、カードαのレベル２０〜２９、カードβのレベル１０〜１９、カードβのレベル２０〜２９）において、オークションの開催の有無を説明するための図である。
【００７１】
同図に示すように、カードαのレベル２０〜２９のオークション市場では、出品数が２であるため、オークション市場は開催されない。
【００７２】
また、カードの返却処理は、図４に示したユーザＩＤに、返却されたカード情報を追加することを意味するが、これに限られるものではなく、返却されたカードがユーザに帰属することを示すような処理であればよい。例えば、ユーザに帰属するカードであるかを示すフラグを使用しても良い。
【００７３】
一方、Ｓ１７において、出品されたカードが最低出品数以上であると判断された場合には、該当するオークション市場を開催し、入札の受付を開始し（Ｓ２０）、所定期間経過後に入札の受付を終了する（Ｓ２１）。なお、入札に関する詳細な処理については、後述する。
【００７４】
次に、出品されたカードの価値を数値化してグループ化された各オークション市場内で順位をつける（Ｓ２２）。本発明の実施の形態においては、出品されたカードのレベルに基づいて順位をつける場合について示しているが、これに限られるものではない。すなわち、カードのカード情報（属性情報）に含まれる複数のファクタに基づいて、所定の計算を行うことによりカードの価値を算出しても良いし、その方法は問わない。
【００７５】
次に、当該グループ化されたオークション市場における入札数が出品カード数以下であるか否かの判断が行われる（Ｓ２３）。入札数が出品カード数以下である場合には、当該グループ化されたオークション市場における順位が入札数より大きいか否かの判断が行われる（Ｓ２４）。
【００７６】
Ｓ２４において、当該グループ化されたオークション市場における順位が入札数より大きいと判断された場合には、オークションの取引が不成立とされ（Ｓ２５）、出品者にカード返却処理が行なわれる（Ｓ２６）。
【００７７】
一方、Ｓ２３において当該グループ化されたオークション市場における入札数が出品カード数以下ではないと判断された場合、Ｓ２４において当該グループ化されたオークション市場における順位が入札数より大きくないと判断された場合には、取引成立として（Ｓ２７）、出品者はメダルを受け取る（Ｓ２８）。
【００７８】
なお、オークションの取引成立処理（落札処理）の際におけるメダル、カードの具体的な処理については、後述する。
【００７９】
次に、開催中期間に出品する場合について、図１２のフローチャートを参照して説明する。
【００８０】
Ｓ３１〜Ｓ３３の処理は、図９のＳ１１〜Ｓ１３の処理と同様である。すなわち、ユーザからカードが出品される（Ｓ３１）と、入札されたカードが出品制限に該当するか否かが判断される（Ｓ３２）。
【００８１】
Ｓ３２において、出品制限に該当すると判断された場合には、出品されたカードはオークション市場に出品することが認められない（Ｓ３３）。一方、出品制限に該当しないと判断された場合には、出品されたカードのカード情報から、グループ化するためのグループ化情報（例えば、カードのレベル）が抽出される（Ｓ３４）。
【００８２】
次に、入札受付中のグループ（グループ化されたオークション市場）の中からグループ化情報が合致するグループを探し（Ｓ３５）、入札受付中のグループに該当するグループがあるか否かの判断が行われる（Ｓ３６）。
【００８３】
例えば、図１０に示した例の場合、レベル４１のカードαを有するユーザが出品する場合、レベル４０〜５０のカードαの開催中のオークション市場が該当することになる。
【００８４】
Ｓ３６において、入札受付中のグループに該当するグループがないと判断された場合には、当該カードの出品が受け付けられない（Ｓ３７）。一方、入札受付中のグループに該当するグループがあると判断された場合には、該当グループの出品キューにカードが追加される（Ｓ３８）。
【００８５】
その後、所定期間経過後に入札の受付が終了し（Ｓ３９）、出品されたカードの価値を数値化してグループ化された各オークション市場内で順位をつける（Ｓ４０）。
【００８６】
次に、当該グループ化されたオークション市場における入札数が出品カード数以下であるか否かの判断が行われる（Ｓ４１）。入札数が出品カード数以下である場合には、当該グループ化されたオークション市場における順位が入札数より大きいか否かの判断が行われる（Ｓ４２）。
【００８７】
Ｓ４２において、当該グループ化されたオークション市場における順位が入札数より大きいと判断された場合には、オークションの取引が不成立とされ（Ｓ４３）、出品者にカード返却処理が行なわれる（Ｓ４４）。
【００８８】
一方、Ｓ４１において当該グループ化されたオークション市場における入札数が出品カード数以下ではないと判断された場合、Ｓ４２において当該グループ化されたオークション市場における順位が入札数より大きくないと判断された場合には、取引成立として（Ｓ４５）、出品者はメダルを受け取る（Ｓ４６）。
【００８９】
次に、本実施の形態のオークションシステムの入札処理について、図１３のフローチャートを参照して説明する。
【００９０】
同図に示すように、まず、グループに対して入札が行なわれる（Ｓ５１）。ここで、入札とはグループ化されたレンジのカードを任意の価格で買う宣言をすることをいう。購入には、専用のゲーム内メダルを使用する。入札の際には、購入を確約するためにメダルを先払いする。購入権は高額の入札をした順に出品されているカードの枚数分確定する。基本的には、落札基準価格以上で入札を行うが、価格の下落を予想し、落札基準価格以下で入札することも可能である。「落札基準価格」とは、落札圏内の最低価格をいう。
【００９１】
次に、入札制限に該当するか否かの判断が行なわれる（Ｓ５２）。ここで、「入札制限」とは、例えば、入札間隔制限、入札市場制限、入札価格制限及びシステム最低価格制限が挙げられる。
【００９２】
「入札間隔制限」とは、例えば、前回の入札から１０分以内は入札を認めないとする制限である。図１４（ａ）は、入札間隔制限の一例を説明するための図である。
【００９３】
「入札市場制限」とは、一度に参加できる市場の数を制限する。図１４（ｂ）は、３つ以上のオークション市場に参加することが制限される場合の例を示す図である。
【００９４】
「入札価格制限」とは、入札最低価格及び入札最高価格を決定し、入札最低価格を下回る入札、或いは入札最高価格を上回る入札を制限する。「入札最低価格」及び「入札最高価格」は、「落札基準価格」により定められる。「落札基準価格」とは、上述のように、落札圏内の最低価格をいう。
【００９５】
入札最低価格及び入札最高価格は、直前の状態を元に所定間隔（例えば、１０分）で更新され、動的に生成される。このように、更新間隔の間は価格をロックすることにより、価格の急騰或いは急落を防止することができる。
【００９６】
図１５は、入札最低価格及び入札最高価格を説明するための図である。同図においては、「入札最高価格」を落札基準価格の２００％ととし、「入札最高価格」を落札基準価格の７０％としし、更新間隔を１０分とした例を示している。図１６は、このように入札価格を制限した場合の、価格のレンジの推移の一例を示す図である。
【００９７】
「システム最低価格制限」とは、システムによって定められる最低価格であり、前回の同条件の市場の最終価格により定められる（例えば、前回の同条件の市場の最終価格の５０パーセント）。
【００９８】
Ｓ５２において入札制限に該当すると判断された場合には、入札したメダルを返却し、入札は受け付けない（Ｓ５３）。一方、Ｓ５２において入札制限に該当しないと判断された場合には、入札を仮入札キューに格納する（Ｓ５４）。
【００９９】
その後、前回の終了時刻から所定時間（例えば、１０分）が経過したか否かの判断が行なわれ（Ｓ５５）、経過したと判断された場合には、同一価格の入札が仮入札キューに仮入札キューにあるか否かの判断が行なわれる（Ｓ５６）。
【０１００】
Ｓ５６において、同一価格の入札があると判断された場合には、同一価格の入札のうちの少なくとも１つの入札を抽選により決定する。本実施の形態では、ランダムにより少なくとも１つの入札を決定するが、その他の方法で決定しても良い。その後、抽選により決定された入札と仮入札キューに格納された他の入札（同一価格ではない）とが入札キューに格納される（Ｓ５８）。なお、抽選に外れた入札は、破棄されずに、仮入札キューに残存し、次回更新時の入札に使用される。
【０１０１】
図１７は、上記抽選処理を説明するための図である。同図においては、仮入札キュー７１に同一価格（同一のメダル枚数）の入札が５つあり、３つを抽選により決定し、２つを落札圏外とした場合を示している。
【０１０２】
次に、図８に示すように、入札を入札額の順に順位付け（Ｓ５９）、入札最高価格及び入札最低価格を更新し（Ｓ６０）、入札の順位(数）が出品数より大きいか否かが判断される（Ｓ６１）。
【０１０３】
Ｓ６１において、入札の順位(数）が出品数より大きいと判断された場合には、落札圏内の入札額の最低額の７０パーセント未満か否かの判断が行なわれる（Ｓ６２）。Ｓ６２において、落札圏内の入札額の最低額の７０パーセント未満ではないと判断された場合には、終了時刻か否かの判断が行なわれる（Ｓ６３）。Ｓ６３において、終了時刻ではないと判断された場合には、Ｓ５５の処理に戻る。一方、Ｓ６３において、終了時刻であると判断された場合には、入札をキャンセルし、入札額(メダル）の返却処理が行なわれる（Ｓ６５）。
【０１０４】
Ｓ６１の処理において、入札の順位(数）が出品数より大きくないと判断された場合には、入札を落札圏内とマークし（Ｓ６６）、終了時刻か否かの判断が行なわれる（Ｓ６７）。Ｓ６７において、終了時刻ではないと判断された場合には、Ｓ５５の処理に戻る。
【０１０５】
一方、終了時刻であると判断された場合には、出品したカードの落札が決定され（Ｓ６８）、出品されたカードの価値を数値化し、グループ内（グループ化されたオークション市場内）で順位をつけ（Ｓ６９）、入札額順位と等しい価値の順位のカードを受け取る（Ｓ７０）。
【０１０６】
図１８は、落札者の獲得カードの決定の仕方を説明するための図である。本実施の形態のオークションシステムでは、価値の近いカードをグループ化することにより、複数のグループかされたオークション市場を形成しているが、カードの価値にはばらつきがでる。カードの価値は、上述のように、本実施の形態では、出品されたカードのレベルに基づいて順位をつける場合について示すが、これに限られるものではない。すなわち、カードのカード情報（属性情報）に含まれる複数のファクタに基づいて、所定の計算を行うことによりカードの価値を算出しても良いし、その方法は問わない。
【０１０７】
図１８に示すように、本実施の形態では、高額で入札されたものから価値の高いカードが割り振られることになる。すなわち、本実施の形態に係るオークションシステムにおいて、落札が行われると、入札者は、落札したカードを取得し、出品者は、落札時の価格（メダル枚数）から所定の手数料が引かれたメダルを取得する。
【０１０８】
より具体的には、落札されたカードを、落札した入札のユーザのカード情報に追加し、かつ落札されたカードを、落札されたカードのユーザのカード情報から削除するとともに、落札した入札のユーザの価格から所定のシステム手数料が引かれたメダル枚数を落札されたカードを出品したユーザのメダル情報に加算し、落札した入札のユーザのメダル情報から、落札した入札のユーザのメダル枚数を減算する処理が行われる。
【０１０９】
したがって、本実施の形態に係るオークションシステムによれば、オークションシステムが採用されているソーシャルネットワーキングサービス等において使用される出品アイテムをオークションシステム上で取り引き出来るので、ユーザに金銭的或いは物質的なメリット以外の理由でオークションに参加する動機付けを与えることができる。また、複数人が出品及び入札を行なうので取引により、入札者或いは出品者を特定されることを防止することができる。さらに、出品アイテムの落札手法を種々設けることにより、入札者にどのような出品アイテムを落札することができるか等、オークションに参加する喜びを提供することができる。
【０１１０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１１】
１…ネットワーク、２…サーバ群、３…コンピュータ、４…携帯電話、５…アクセスポイント（ＡＰ）、６…基地局、２１…ＯＳ、２２…オークション情報データベース、２３…ユーザ情報データベース、２４…オークション処理プログラム、４１…出品受付部、４２…オークション管理部、４３…入札受付部、５１…出品キュー、６１…オークション市場管理部、６２…落札決定部、６３…取引管理部、７１…仮入札キュー、７２…抽選部、７３…入札キュー。
【図１】
2013187445.tif 000003
【図２】
2013187445.tif 000004
【図３】
2013187445.tif 000005
【図４】
2013187445.tif 000006
【図５】
2013187445.tif 000007
【図６】
2013187445.tif 000008
【図７】
2013187445.tif 000009
【図８】
2013187445.tif 000010
【図９】
2013187445.tif 000011
【図１０】
2013187445.tif 000012
【図１１】
2013187445.tif 000013
【図１２】
2013187445.tif 000014
【図１３】
2013187445.tif 000015
【図１４】
2013187445.tif 000016
【図１５】
2013187445.tif 000017
【図１６】
2013187445.tif 000018
【図１７】
2013187445.tif 000019
【図１８】
2013187445.tif 000020
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
オークションシステムに、前記オークションシステムにおいて行われるオークション市場において、
入札の対象となる複数の出品アイテムを受け付けさせ、
前記受け付けられた複数の出品アイテムに対する複数の入札を受け付けさせ、
前記受け付けられた複数の入札の入札値にしたがって、前記受け付けられた複数の出品アイテムのうち落札される出品アイテムを決定させ、
前記落札された出品アイテムを、落札した入札のユーザのアイテム情報に追加させ、かつ前記落札された出品アイテムを、落札された出品アイテムのユーザのアイテム情報から削除させるとともに、前記落札した入札のユーザの入札値に対応する値を前記落札された出品アイテムを出品したユーザのオークションシステム内で取引可能な値を示す取引可能値に加算させ、前記落札した入札のユーザの取引可能値から、前記落札した入札のユーザの入札値を減算させ、
前記オークションシステムにおいて行われるオークション市場は、前記出品アイテムの属性情報に基づいてグループ化されているオークションプログラム。
【請求項２】
前記入札を受け付けさせることは、
出品受付手段に受け付けられた前記複数の出品アイテムに対する複数の入札を仮入札受付手段に受け付けさせ、
所定時間毎に、前記仮入札受付手段に受け付けられた複数の入札のうち、入札の入札値が同じである入札が存在するか否かを決定させ、入札の入札値が同じである入札が存在すると決定された場合に、入札の入札値が同じである入札のうちの少なくとも１つの入札を抽選により決定させ、
前記抽選により決定させることは、決定された入札の入札値が同じである入札のうちの少なくとも１つの入札と、前記仮入札受付手段に受け付けられた他の入札を落札候補とし、前記抽選により決定された少なくとも１つの入札以外の他の入札の入札値が同じである入札は落札候補としない請求項１記載のオークションプログラム。
【請求項３】
前記仮入札受付手段及び前記出品受付手段は、前記グループ化されたオークション市場毎に設けられている請求項２記載のオークションプログラム。
【請求項４】
前記受け付けられた複数の出品アイテムを出品アイテムの属性情報に基づき順位付けを行なわせ、
前記受け付けられた複数の入札の数が、前記順位付けされた出品アイテムの順位よりも大きいか否かを判断させ、
前記順位付けされた出品アイテムの順位よりも大きくないと判断された場合に、取引を成立させることをさらに具備する請求項１記載のオークションプログラム。
【請求項５】
前記受け付けられた複数の出品アイテムを出品アイテムの属性情報に基づき順位付けを行なわせ、
前記受け付けられた複数の入札を入札値に基づき順位付けを行なわせ、
前記順位付けされた出品アイテムと前記順位付けされた入札とを、前記順位付けされた出品アイテムの順位及び前記順位付けされた入札の順位に従って対応付けさせ、
前記対応付けの結果に応じて、入札ユーザが取得する出品アイテムを決定させることをさらに具備する請求項１記載のオークションプログラム。
【請求項６】
前記出品アイテムはカードであり、前記属性情報はカードのレベルである請求項４記載のオークションプログラム。
【請求項７】
出品の対象となる出品アイテムを特定させ、
前記特定された出品アイテムの属性情報に対応したグループ化されたオークション市場に関する情報を表示する表示画像を作成させる請求項１記載のオークションプログラム。
【請求項８】
オークションシステムにおけるオークション方法において、
前記オークションシステムが、前記オークションシステムにおいて行われるオークション市場において、
入札の対象となる複数の出品アイテムを受け付け、
前記受け付けられた複数の出品アイテムに対する複数の入札を受け付け、
前記受け付けられた複数の入札の入札値にしたがって、前記受け付けられた複数の出品アイテムのうち落札される出品アイテムを決定し、
落札された出品アイテムを、落札した入札のユーザのアイテム情報に追加し、かつ前記落札された出品アイテムを、落札された出品アイテムのユーザのアイテム情報から削除するとともに、前記落札した入札のユーザの入札値に対応する値を前記落札された出品アイテムを出品したユーザのオークションシステム内で取引可能な値を示す取引可能値に加算し、前記落札した入札のユーザの取引可能値から、前記落札した入札のユーザの入札値を減算し、
前記オークションシステムにおいて行われるオークション市場は、前記出品アイテムの属性情報に基づいてグループ化されているオークション方法。
【請求項９】
オークションシステムにおいて使用されるオークションプログラムを格納したコンピュータ読み取り可能な記録媒体において、
前記オークションプログラムが前記オークションシステムに、前記オークションシステムにおいて行われるオークション市場において、
入札の対象となる複数の出品アイテムを受け付けさせ、
前記受け付けられた複数の出品アイテムに対する複数の入札を受け付けさせ、
前記受け付けられた複数の入札の入札値にしたがって、前記受け付けられた複数の出品アイテムのうち落札される出品アイテムを決定させ、
前記落札された出品アイテムを、落札した入札のユーザのアイテム情報に追加させ、かつ前記落札された出品アイテムを、落札された出品アイテムのユーザのアイテム情報から削除させるとともに、前記落札した入札のユーザの入札値に対応する値を前記落札された出品アイテムを出品したユーザのオークションシステム内で取引可能な値を示す取引可能値に加算させ、前記落札した入札のユーザの取引可能値から、前記落札した入札のユーザの入札値を減算させ、
前記オークションシステムにおいて行われるオークション市場は、前記出品アイテムの属性情報に基づいてグループ化されている記録媒体。
【請求項１０】
オークションシステムにおいて行われるオークション市場において、
入札の対象となる複数の出品アイテムを受け付ける出品受付手段と、
前記出品受付手段によって受け付けられた複数の出品アイテムに対する複数の入札を受け付ける入札受付手段と、
前記入札受付手段によって受け付けられた複数の入札の入札値にしたがって、前記出品受付手段により受け付けられた複数の出品アイテムのうち落札される出品アイテムを決定する落札決定手段と、
前記落札決定手段により落札された出品アイテムを、落札した入札のユーザのアイテム情報に追加し、かつ前記落札された出品アイテムを、落札された出品アイテムのユーザのアイテム情報から削除するとともに、前記落札した入札のユーザの入札値に対応する値を前記落札された出品アイテムを出品したユーザのオークションシステム内で取引可能な値を示す取引可能値に加算し、前記落札した入札のユーザの取引可能値から、前記落札した入札のユーザの入札値を減算する取引管理手段とを具備し、
前記オークションシステムにおいて行われるオークション市場は、前記出品アイテムの属性情報に基づいてグループ化されているオークションシステム。
【手続補正２】
【補正対象書類名】明細書
【補正対象項目名】０００６
【補正方法】変更
【補正の内容】
【０００６】
本発明の第１の発明によれば、オークションシステムに、前記オークションシステムにおいて行われるオークション市場において、入札の対象となる複数の出品アイテムを受け付けさせ、前記受け付けられた複数の出品アイテムに対する複数の入札を受け付けさせ、前記受け付けられた複数の入札の入札値にしたがって、前記受け付けられた複数の出品アイテムのうち落札される出品アイテムを決定させ、前記落札された出品アイテムを、落札した入札のユーザのアイテム情報に追加させ、かつ前記落札された出品アイテムを、落札された出品アイテムのユーザのアイテム情報から削除させるとともに、前記落札した入札のユーザの入札値に対応する値を前記落札された出品アイテムを出品したユーザのオークションシステム内で取引可能な値を示す取引可能値に加算させ、前記落札した入札のユーザの取引可能値から、前記落札した入札のユーザの入札値を減算させ、前記オークションシステムにおいて行われるオークション市場は、前記出品アイテムの属性情報に基づいてグループ化されているオークションプログラム、である。
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
複数の出品アイテムを複数人で落札可能な複数のグループ化されたオークション市場を有するオークションシステムにおけるオークション方法において、
前記オークションシステムが、各グループ化されたオークション市場において、
入札の対象となる複数の出品アイテムを受け付け、
前記受け付けられた複数の出品アイテムに対する複数の入札を受け付け、
前記受け付けられた複数の入札の入札値にしたがって、前記受け付けた複数の入札に対する落札される複数の出品アイテムを一度に決定する、
オークション方法。
【請求項２】
前記落札された出品アイテムを、落札した入札のユーザのアイテム情報に追加させ、かつ前記落札された出品アイテムを、落札された出品アイテムのユーザのアイテム情報から削除させるとともに、前記落札した入札のユーザの入札値に対応する値を前記落札された出品アイテムを出品したユーザのオークションシステム内で取引可能な値を示す取引可能値に加算させ、前記落札した入札のユーザの取引可能値から、前記落札した入札のユーザの入札値を減算することをさらに具備する請求項１記載のオークション方法。
【請求項３】
前記グループ化されたオークション市場は、出品アイテムの属性情報に基づいてグループ化されている、請求項１記載のオークション方法。
【請求項４】
前記入札を受け付けることは、
出品受付手段に受け付けられた前記複数の出品アイテムに対する複数の入札を仮入札受付手段に受け付け、
所定時間毎に、前記仮入札受付手段に受け付けられた複数の入札のうち、入札の入札値が同じである入札が存在するか否かを決定させ、入札の入札値が同じである入札が存在すると決定された場合に、入札の入札値が同じである入札のうちの少なくとも１つの入札を抽選により決定し、
前記抽選により決定することは、決定された入札の入札値が同じである入札のうちの少なくとも１つの入札と、前記仮入札受付手段に受け付けられた他の入札を落札候補とし、前記抽選により決定された少なくとも１つの入札以外の他の入札の入札値が同じである入札は落札候補としない請求項１記載のオークション方法。
【請求項５】
前記仮入札受付手段及び前記出品受付手段は、前記グループ化されたオークション市場毎に設けられている請求項４記載のオークション方法。
【請求項６】
前記受け付けられた複数の出品アイテムを出品アイテムの属性情報に基づき順位付けを行ない、
前記受け付けられた複数の入札の数が、前記順位付けされた出品アイテムの順位よりも大きいか否かを判断し、
前記順位付けされた出品アイテムの順位よりも大きくないと判断された場合に、取引を成立させることをさらに具備する請求項１記載のオークション方法。
【請求項７】
前記受け付けられた複数の出品アイテムを出品アイテムの属性情報に基づき順位付けを行ない、
前記受け付けられた複数の入札を入札値に基づき順位付けを行ない、
前記順位付けされた出品アイテムと前記順位付けされた入札とを、前記順位付けされた出品アイテムの順位及び前記順位付けされた入札の順位に従って対応付けを行ない、
前記対応付けの結果に応じて、入札ユーザが取得する出品アイテムを決定することをさらに具備する請求項１記載のオークション方法。
【請求項８】
前記出品アイテムはカードであり、前記属性情報はカードのレベルである請求項１記載のオークション方法。
【請求項９】
出品の対象となる出品アイテムを特定し、
前記特定された出品アイテムの属性情報に対応したグループ化されたオークション市場に関する情報を表示する表示画像を作成することをさらに具備する請求項１記載のオークション方法。
【請求項１０】
複数の出品アイテムを複数人で落札可能な複数のグループ化されたオークション市場を有するオークションシステムにおいて、
各グループ化されたオークション市場は、
入札の対象となる複数の出品アイテムを受け付ける出品受付手段と、
前記出品受付手段によって受け付けられた複数の出品アイテムに対する複数の入札を受け付ける入札受付手段と、
前記入札受付手段によって受け付けられた複数の入札の入札値にしたがって、前記受け付けた複数の入札に対する落札される複数の出品アイテムを一度に決定する落札決定手段と
を具備するオークションシステム。
【請求項１１】
複数の出品アイテムを複数人で落札可能な複数のグループ化されたオークション市場を有するオークションシステムにオークションを実行させるプログラムにおいて、
前記プログラムは、各グループ化されたオークション市場において、
入札の対象となる複数の出品アイテムを受け付けさせ、
前記受け付けられた複数の出品アイテムに対する複数の入札を受け付けさせ、
前記受け付けられた複数の入札の入札値にしたがって、前記受け付けた複数の入札に対する落札される複数の出品アイテムを一度に決定させる、
プログラム。
【手続補正２】
【補正対象書類名】明細書
【補正対象項目名】０００６
【補正方法】変更
【補正の内容】
【０００６】
本発明の第１の発明によれば、複数の出品アイテムを複数人で落札可能な複数のグループ化されたオークション市場を有するオークションシステムにおけるオークション方法において、前記オークションシステムが、各グループ化されたオークション市場において、入札の対象となる複数の出品アイテムを受け付け、前記受け付けられた複数の出品アイテムに対する複数の入札を受け付け、前記受け付けられた複数の入札の入札値にしたがって、前記受け付けた複数の入札に対する落札される複数の出品アイテムを一度に決定する、
オークション方法、である。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
複数の出品アイテムを複数人で落札可能な複数のグループ化されたオークション市場を有するオークションシステムにおけるオークション方法において、
前記オークションシステムが、各グループ化されたオークション市場において、
入札の対象となる複数の出品アイテムを受け付け、
前記受け付けられた複数の出品アイテムに対する複数の入札を受け付け、
前記受け付けられた複数の入札の入札値にしたがって、前記受け付けた複数の入札に対する落札される複数の出品アイテムを決定する、
オークション方法。
【請求項２】
前記落札された出品アイテムを、落札した入札のユーザのアイテム情報に追加させ、かつ前記落札された出品アイテムを、落札された出品アイテムのユーザのアイテム情報から削除させるとともに、前記落札した入札のユーザの入札値に対応する値を前記落札された出品アイテムを出品したユーザのオークションシステム内で取引可能な値を示す取引可能値に加算させ、前記落札した入札のユーザの取引可能値から、前記落札した入札のユーザの入札値を減算することをさらに具備する請求項１記載のオークション方法。
【請求項３】
前記グループ化されたオークション市場は、出品アイテムの属性情報に基づいてグループ化されている、請求項１記載のオークション方法。
【請求項４】
前記入札を受け付けることは、
出品受付手段に受け付けられた前記複数の出品アイテムに対する複数の入札を仮入札受付手段に受け付け、
所定時間毎に、前記仮入札受付手段に受け付けられた複数の入札のうち、入札の入札値が同じである入札が存在するか否かを決定させ、入札の入札値が同じである入札が存在すると決定された場合に、入札の入札値が同じである入札のうちの少なくとも１つの入札を抽選により決定し、
前記抽選により決定することは、決定された入札の入札値が同じである入札のうちの少なくとも１つの入札と、前記仮入札受付手段に受け付けられた他の入札を落札候補とし、前記抽選により決定された少なくとも１つの入札以外の他の入札の入札値が同じである入札は落札候補としない請求項１記載のオークション方法。
【請求項５】
前記仮入札受付手段及び前記出品受付手段は、前記グループ化されたオークション市場毎に設けられている請求項４記載のオークション方法。
【請求項６】
前記受け付けられた複数の出品アイテムを出品アイテムの属性情報に基づき順位付けを行ない、
前記受け付けられた複数の入札の数が、前記順位付けされた出品アイテムの順位よりも大きいか否かを判断し、
前記順位付けされた出品アイテムの順位よりも大きくないと判断された場合に、取引を成立させることをさらに具備する請求項１記載のオークション方法。
【請求項７】
前記受け付けられた複数の出品アイテムを出品アイテムの属性情報に基づき順位付けを行ない、
前記受け付けられた複数の入札を入札値に基づき順位付けを行ない、
前記順位付けされた出品アイテムと前記順位付けされた入札とを、前記順位付けされた出品アイテムの順位及び前記順位付けされた入札の順位に従って対応付けを行ない、
前記対応付けの結果に応じて、入札ユーザが取得する出品アイテムを決定することをさらに具備する請求項１記載のオークション方法。
【請求項８】
前記出品アイテムはカードであり、前記属性情報はカードのレベルである請求項３記載のオークション方法。
【請求項９】
出品の対象となる出品アイテムを特定し、
前記特定された出品アイテムの属性情報に対応したグループ化されたオークション市場に関する情報を表示する表示画像を作成することをさらに具備する請求項１記載のオークション方法。
【請求項１０】
複数の出品アイテムを複数人で落札可能な複数のグループ化されたオークション市場を有するオークションシステムにおいて、
各グループ化されたオークション市場は、
入札の対象となる複数の出品アイテムを受け付ける出品受付手段と、
前記出品受付手段によって受け付けられた複数の出品アイテムに対する複数の入札を受け付ける入札受付手段と、
前記入札受付手段によって受け付けられた複数の入札の入札値にしたがって、前記受け付けた複数の入札に対する落札される複数の出品アイテムを決定する落札決定手段と
を具備するオークションシステム。
【請求項１１】
複数の出品アイテムを複数人で落札可能な複数のグループ化されたオークション市場を有するオークションシステムにオークションを実行させるプログラムにおいて、
前記プログラムは、各グループ化されたオークション市場において、
入札の対象となる複数の出品アイテムを受け付けさせ、
前記受け付けられた複数の出品アイテムに対する複数の入札を受け付けさせ、
前記受け付けられた複数の入札の入札値にしたがって、前記受け付けた複数の入札に対する落札される複数の出品アイテムを決定させる、
プログラム。
【手続補正２】
【補正対象書類名】明細書
【補正対象項目名】０００６
【補正方法】変更
【補正の内容】
【０００６】
本発明の第１の発明によれば、複数の出品アイテムを複数人で落札可能な複数のグループ化されたオークション市場を有するオークションシステムにおけるオークション方法において、前記オークションシステムが、各グループ化されたオークション市場において、入札の対象となる複数の出品アイテムを受け付け、前記受け付けられた複数の出品アイテムに対する複数の入札を受け付け、前記受け付けられた複数の入札の入札値にしたがって、前記受け付けた複数の入札に対する落札される複数の出品アイテムを決定する、
オークション方法、である。
【国際調査報告】
2013187445.tif 000021
2013187445.tif 000022
2013187445.tif 000023